(57)【要約】【課題】青果物の鮮度を保持する青果物入り包装体を提供する。【解決手段】青果物入り包装体は、合成樹脂フィルムから構成された包装袋により青果物を包装してなる青果物入り包装体であって、前記包装袋内の酸素濃度（ｐｐｍ）と窒素ガス濃度（ｐｐｍ）の比（Ｏ２／Ｎ２）が、０以上０．１７以下であり、前記包装袋内の二酸化炭素濃度（ｐｐｍ）と窒素ガス濃度（ｐｐｍ）の比（ＣＯ２／Ｎ２）が、０．０５以上０．２１以下であり、２３℃、６０％ＲＨにおける酸素透過量（ｃｃ／ｍ２・ｄａｙ・ａｔｍ）が、２以上、５００００以下である。【選択図】なし【特許請求の範囲】
【請求項１】
合成樹脂フィルムから構成された包装袋により青果物を包装してなる青果物入り包装体であって、
前記包装袋内の酸素濃度（ｐｐｍ）と窒素ガス濃度（ｐｐｍ）の比（Ｏ２／Ｎ２）が、０以上０．１７以下であり、前記包装袋内の二酸化炭素濃度（ｐｐｍ）と窒素ガス濃度（ｐｐｍ）の比（ＣＯ２／Ｎ２）が、０．０５以上０．２１以下であり、
２３℃、６０％ＲＨにおける酸素透過量（ｃｃ／ｍ２・ｄａｙ・ａｔｍ）が、２以上、５００００以下である、青果物入り包装体。
【請求項２】
４０℃における水蒸気透過率が、２ｇ／ｍ２・ｄａｙ以上４００ｇ／ｍ２・ｄａｙ以下である、請求項１に記載の青果物入り包装体。
【請求項３】
前記包装袋が、貫通孔を有する、請求項１または２に記載の青果物入り包装体。
【請求項４】
前記包装体の内面積に対する、前記貫通孔の個数が、１個／ｍ２以上１５００個／ｍ２以下である、請求項３に記載の青果物入り包装体。
【請求項５】
前記貫通孔の平均孔径が、３０μｍ以上１１００μｍ以下である、請求項３または４に記載の青果物入り包装体。
【請求項６】
前記合成樹脂フィルムの厚みが、１５〜１５０μｍである、請求項１乃至５いずれか一項に記載の青果物入り包装体。
【請求項７】
前記青果物１００ｇあたりの前記包装袋の内面積が１００ｃｍ２以上５０００ｃｍ２以下である、請求項１乃至６いずれか一項に記載の青果物入り包装体。
【請求項８】
前記貫通孔について、当該青果物鮮度保持包装袋の外表面における孔面積をＳｏｕｔ、当該青果物鮮度保持包装袋の内表面における孔面積をＳｉｎとしたとき、Ｓｏｕｔ／Ｓｉｎ＞１．１である、請求項３乃至７いずれか一項に記載の青果物入り包装体。
【請求項９】
合成樹脂フィルムから構成された包装袋により青果物を包装する青果物の包装方法であって、
前記包装袋内の酸素濃度（ｐｐｍ）と窒素ガス濃度（ｐｐｍ）の比（Ｏ２／Ｎ２）が、０以上０．１７以下であり、前記包装袋内の二酸化炭素濃度（ｐｐｍ）と窒素ガス濃度（ｐｐｍ）の比（ＣＯ２／Ｎ２）が、０．０５以上０．２１以下であり、
２３℃、６０％ＲＨにおける酸素透過量（ｃｃ／ｍ２・ｄａｙ・ａｔｍ）が、２以上、５００００以下となるように青果物を包装する、青果物の包装方法。
【発明の詳細な説明】
【技術分野】
【０００１】
本発明は、青果物入り包装体、及び青果物の包装方法に関する。
【背景技術】
【０００２】
従来、収穫された青果物の鮮度保持方法としては、青果物の呼吸を適度に抑制して鮮度を保持する方法が知られている。このような青果物の鮮度保持に使用される包装袋は、ＭＡ（Ｍｏｄｉｆｉｅｄ  Ａｔｍｏｓｐｈｅｒｅ）包装として知られている。
【０００３】
たとえば、特許文献１には、外部との空気の出入りを遮断した包装袋を用い、包装袋内のガス濃度を、酸素濃度５％以上１０％未満、炭酸ガス濃度１５〜３５％、残りを窒素ガスで充填したレタスを含む生鮮野菜加工品の保存方法について開示されている。
【先行技術文献】
【特許文献】
【０００４】
【特許文献１】特開２０１１−８０号公報
【発明の概要】
【発明が解決しようとする課題】
【０００５】
しかしながら、特許文献１に記載された技術は、外部との空気の出入りを遮断するものであるため、保存中のレタスなどの青果物の呼吸により、酸素濃度が低下し、二酸化炭素濃度が高くなりすぎ、ガス障害が発生し、異臭が発生する等の問題があった。
【課題を解決するための手段】
【０００６】
本発明者は、かかる従来技術の問題点を解決すべく鋭意検討を行った結果、青果物を包装したときの包装袋内の酸素、二酸化炭素、窒素ガスの割合を制御するとともに、包装袋の酸素透過量を特定の範囲にすることが青果物の鮮度保持を飛躍的に向上できる指針として有効なことを見出し、本発明を完成させた。
【０００７】
本発明は、合成樹脂フィルムから構成された包装袋により青果物を包装してなる青果物入り包装体であって、
前記包装袋内の酸素濃度（ｐｐｍ）と窒素ガス濃度（ｐｐｍ）の比（Ｏ２／Ｎ２）が、０以上０．１７以下であり、前記包装袋内の二酸化炭素濃度（ｐｐｍ）と窒素ガス濃度（ｐｐｍ）の比（ＣＯ２／Ｎ２）が、０．０５以上０．２１以下であり、
２３℃、６０％ＲＨにおける酸素透過量（ｃｃ／ｍ２・ｄａｙ・ａｔｍ）が、２以上、５００００以下である、青果物入り包装体を提供する。
【０００８】
また、本発明は、合成樹脂フィルムから構成された包装袋により青果物を包装する青果物の包装方法であって、
前記包装袋内の酸素濃度（ｐｐｍ）と窒素ガス濃度（ｐｐｍ）の比（Ｏ２／Ｎ２）が、０以上０．１７以下であり、前記包装袋内の二酸化炭素濃度（ｐｐｍ）と窒素ガス濃度（ｐｐｍ）の比（ＣＯ２／Ｎ２）が、０．０５以上０．２１以下であり、
２３℃、６０％ＲＨにおける酸素透過量（ｃｃ／ｍ２・ｄａｙ・ａｔｍ）が、２以上、５００００以下となるように青果物を包装する、青果物の包装方法を提供する。
【発明の効果】
【０００９】
本発明によれば、青果物の鮮度をより長期間保持できる青果物入り包装体が提供できる。
【発明を実施するための形態】
【００１０】
＜包装袋＞
以下、本発明の実施形態について、詳細に説明する。
【００１１】
本実施形態における包装袋は、内部に青果物を包装するものである。当該青果物としては、特に限定されないが、例えば、オオバ、ホウレンソウ、コマツナ、ミズナ、ミブナ、アスパラガス、クウシンサイ、レタス、タイム、セージ、パセリ、イタリアンパセリ、ローズマリー、オレガノ、レモンバーム、チャイブ、ラベンダー、サラダバーネット、ラムズイヤー、ロケット、ダンディライオン、ナスタチューム、バジル、ルッコラ、クレソン、モロヘイヤ、セロリ、ケール、ネギ、キャベツ、ハクサイ、シュンギク、サラダナ、サンチュ、フキ、ナバナ、チンゲンサイ、ミツバ、セリ、メキャベツ、ブロッコリー、カリフラワー、ミョウガ、ダイコン、ニンジン、ゴボウ、ラディッシュ、カブ、サツマイモ、ジャガイモ、ナガイモ、ヤマイモ、サトイモ、ジネンジョ、ヤマトイモ、ピーマン、パプリカ、シシトウ、キュウリ、ナス、トマト、ミニトマト、カボチャ、ゴーヤ、オクラ、スィートコーン、エダマメ、サヤエンドウ、サヤインゲン、ソラマメ、菌茸類などが挙げられる。また、柑橘、りんご、ナシ、ブドウ、ブルーベリー、柿、イチゴなどの果実類や切花なども有効である。また、これらをカットした状態、いわゆるカット野菜、カットフルーツにも有効である。
なかでも、効果的に保存を可能とする観点から、カット野菜であることが好ましい。
【００１２】
包装袋内の酸素濃度（ｐｐｍ）と窒素ガス濃度（ｐｐｍ）の比（Ｏ２／Ｎ２）が、０以上０．１７以下であり、包装袋内の二酸化炭素濃度（ｐｐｍ）と窒素ガス濃度（ｐｐｍ）の比（ＣＯ２／Ｎ２）が、０．０５以上０．２１以下である。
（Ｏ２／Ｎ２）は好ましくは０．０１以上０．１４以下であり、（ＣＯ２／Ｎ２）は好ましくは０．０６以上０．１９以下である。かかる数値範囲とすることにより、青果物の鮮度を安定的に保持できる。
【００１３】
また、包装袋内のガス濃度の調整方法は、上記の数値範囲となるように調整されれば特に限定されない。たとえば、包装袋の内部に、酸素ガス、二酸化炭素ガス、窒素ガスを公知の方法により導入してもよい。
なお、本発明において、包装袋内の酸素濃度（ｐｐｍ）、窒素ガス濃度（ｐｐｍ）および二酸化炭素濃度（ｐｐｍ）とは、青果物を包装した直後の濃度を意図する。
【００１４】
また、包装袋の２３℃、６０％ＲＨにおける酸素透過量は、青果物の呼吸を保持し、鮮度を保持する観点から、好ましくは２ｃｃ／ｍ２・ｄａｙ・ａｔｍ以上であり、より好ましくは５ｃｃ／ｍ２・ｄａｙ・ａｔｍ以上であり、さらに好ましは３００ｃｃ／ｍ２・ｄａｙ・ａｔｍ以上である。
一方、包装袋の２３℃、６０％ＲＨにおける酸素透過量は、青果物の品質保持、鮮度保持する観点から、好ましくは５００００ｃｃ／ｍ２・ｄａｙ・ａｔｍ以下であり、より好ましくは１００００ｃｃ／ｍ２・ｄａｙ・ａｔｍ以下であり、さらに好ましくは７５００ｃｃ／ｍ２・ｄａｙ・ａｔｍ以下である。
【００１５】
酸素透過量は、たとえば、窒素を充填させた直後の包装袋と、窒素を充填させてから一定時間放置した後の包装袋のそれぞれに関し、包装袋内の酸素濃度を測定し、その酸素濃度勾配から算出することができる。
【００１６】
また、本実施形態において、包装袋の酸素透過量は、後述する合成樹脂フィルムの材料の選択、合成樹脂フィルムの製造方法、合成樹脂フィルムの層構造、貫通孔の有無及び貫通孔の平均径、数などを制御することによって、調整することができる。
【００１７】
包装袋の４０℃における水蒸気透過率は、青果物の呼吸による水蒸気を放出する観点から、２ｇ／ｍ2・ｄａｙ以上であり、好ましくは４ｇ／ｍ２・ｄａｙ・ａｔｍ以上であり、より好ましくは６ｇ／ｍ２・ｄａｙ・ａｔｍ以上である。
一方、包装袋の４０℃における水蒸気透過率は、青果物の呼吸を抑制する観点から、１０ｇ／ｍ２・ｄａｙ・ａｔｍ以下であり、好ましくは８ｇ／ｍ２・ｄａｙ・ａｔｍ以下であり、より好ましくは７ｇ／ｍ２・ｄａｙ・ａｔｍ以下である。
【００１８】
水蒸気透過率は、ＪＩＳ  Ｚ０２０８（カップ法）に準拠した方法によって測定することができる。
【００１９】
本実施形態において、包装袋の水蒸気透過率は、後述する合成樹脂フィルムの材料の選択、合成樹脂フィルムの製造方法、合成樹脂フィルムの層構造、貫通孔の有無及び貫通孔の平均径、数などを制御することによって、調整することができる。
【００２０】
本実施形態の包装袋は、さらに以下の要件を満たすことで、鮮度保持効果をより一層高めることができる。
【００２１】
包装袋は、貫通孔が形成されていてもよい。これにより、水蒸気透過率、酸素透過量を安定的に調整できるようになる。これにより、青果物の鮮度を効果的に保持できるようになる。
【００２２】
貫通孔の平面形状としては、たとえば、円形、多角形、またはスリットであってもよい。円形とは、真円形に限定されず、略円形を含むものである。また、円形以外にも、半円形や三日月形状であってもよい。多角形とは、三角形、四角形、および五角形等の三つ以上の線分によって囲まれた形状であればよい。スリットとは、包装袋を構成する合成樹脂フィルムを貫通している切り込み、細隙であって、直線、曲線、Ｌ字型、×印などであってもよく、その長さ等も特に限定されない。
【００２３】
貫通孔の平均直径は３０μｍ〜１１００μｍであることが好ましく、５０μｍ〜５００μｍであることがより好ましい。上記下限値以上とすることにより、水蒸気透過率、酸素透過量が向上し、カビ発生を抑制しやすくなる。一方、上記上限値以下とすることにより、異物の侵入を防ぎ、かつ、青果物の萎れ・軸枯れを抑制できる。
なお、貫通孔の平均直径は、貫通孔の開孔面積から貫通孔を正円として算出される。
【００２４】
包装袋の内面積に対する、貫通孔の個数は、１個／ｍ２以上１５００個／ｍ２以下であることが好ましく、２個／ｍ２以上１０００個／ｍ２以下であることがより好ましく、１０個／ｍ２以上８００個／ｍ２以下であることがさらに好ましい。
【００２５】
また、貫通孔の断面視した場合、包装袋の外表面における孔面積をＳｏｕｔ、包装袋の内表面における孔面積をＳｉｎとしたとき、Ｓｏｕｔ／Ｓｉｎ＞１．１であることが好ましい。すなわち、外表面における孔面積の方が、内表面における孔面積よりも大きいことで、青果物の重さによる孔の変形が低減でき、包装袋内のガス濃度がより安定するため、青果物の鮮度を保持しやすくなる。酸素と水蒸気の流路が確保されて、濃度が安定するという観点から、青果物の劣化または腐敗を、より一層安定的に抑制することができる。
この場合、貫通孔の平均孔径は、包装袋の内表面における孔径を示す。
【００２６】
また、貫通孔を断面視した場合、貫通孔の側壁は、包装袋の内表面から外表面に向かって徐々に拡大するテーパー状であることが好ましい。テーパー状とすることで、孔の変形がより低減され、より一層安定的に鮮度保持ができる。
【００２７】
上記の貫通孔の形成方法は、特に限定されず、公知の手法を採用することができる。かかる公知の手法としては、たとえば、レーザー加工法、熱針を含む針加工法、ロールカッターなどの金型を利用した方法等が挙げられる。
上記のＳｏｕｔ／Ｓｉｎ＞１．１となる貫通孔は、レーザー加工法などによって形成することができる。レーザー加工法により、貫通孔の直径は、例えば、合成樹脂フィルムの走行速度とレーザーの周波数を同期させることにより、調整することができ、また、貫通孔の形状は、レーザーの形状に合致するため、レーザーの焦点距離を調整することにより、円筒形からテーパー状に近づけることができる。
【００２８】
上記の貫通孔は、包装袋を製造する際、予め合成樹脂フィルムに形成されていてもよく、合成樹脂フィルムを袋状に形成したあとに形成されてもよく、合成樹脂フィルムを袋状に形成した前後において形成されてもよい。
【００２９】
また、本実施形態における包装袋の内表面積は、包装される青果物の形状、大きさ、取扱性等に応じて、適宜、設定することができる。例えば、青果物１００ｇあたりの包装袋の内表面積を、１００ｃｍ２以上５０００ｃｍ２以下としてもよいし、３００ｃｍ２以上７００ｃｍ２以下としてもよい。
【００３０】
次に、包装袋を構成する合成樹脂フィルムについて説明する。
【００３１】
合成樹脂フィルムは、青果物を外部から視認できる観点から、透明または半透明であることが好ましく、透明であることがより好ましい。また、青果物を特定する目的などの印刷が施されたものであってもよい。
【００３２】
合成樹脂フィルムを構成する合成樹脂は、青果物の包装に用いることができるものであれば特に限定されず、公知のものを使用することができる。
例えば、各種ポリエチレンおよびエチレン共重合体、ポリプロピレン、ポリ塩化ビニル、ポリスチレン、アクリル樹脂、ポリエチレンテレフタレートおよびポリ乳酸などのポリエステル樹脂、６ナイロンなどのポリアミド樹脂などが挙げられる。これらはホモポリマーであってもよく、２種類以上のコポリマーであってもよく、これらホモポリマーやコポリマーを２種類以上含むブレンド物であってもよい。
また、上記各種ポリエチレンおよびエチレン共重合体の具体例としては、エチレン・ビニルアルコール共重合体、高密度ポリエチレン、中密度ポリエチレン、低密度ポリエチレン、直鎖状低密度ポリエチレン、メタロセン−直鎖状低密度ポリエチレン、エチレン−酢酸ビニルコポリマー、エチレン−アクリル酸コポリマー、エチレン−プロピレンコポリマー、エチレン−α−オレフィンコポリマーなどのコポリマーあるいはアイオノマーなどが挙げられる。これらは１種または２種以上含んだものでもよく、これらと他の樹脂とを混合したものであってもよい。
【００３３】
なかでも、水蒸気透過率、酸素透過量を適切に制御する観点から、ポリエチレン、エチレン・ビニルアルコール共重合体、ポリプロピレン、ポリスチレン、ポリ乳酸などのポリエステル樹脂、およびナイロンなどのポリアミド樹脂であることが好ましく、ポリプロピレン、エチレン・ビニルアルコール共重合体、ポリスチレン、ポリ乳酸、ナイロンであることがより好ましい。
【００３４】
なお、価格、物性の観点からは、ヒートシール可能な延伸ポリプロピレンフィルム、低密度ポリエチレンフィルム、直鎖状低密度ポリエチレンフィルム、メタロセン触媒ポリエチレンを用いることが好ましい。
【００３５】
合成樹脂フィルムの成型方法は、特に限定されないが、押出、インフレーション、カレンダーリング等の方法が用いられる。合成樹脂フィルムを成型する際、必要に応じて、防曇剤等の添加物を混練してもよく、２種類以上の樹脂をブレンドしてもよい。
また、合成樹脂フィルムに、延伸処理やアニーリングなどを施してもよく、さらに、シーラント層を設けたものでもよい。なかでも、延伸処理を施すことにより、合成樹脂フィルムの剛性、耐ピンホール性、水蒸気・酸素バリア性、および見栄えを向上できる。例えば、延伸ナイロン、延伸ポリ乳酸、延伸ポリスチレンであることが好ましい。
【００３６】
合成樹脂フィルムは、単層として用いてもよいし、２層以上の多層構造として用いてもよい。
【００３７】
例えば、包装袋に包装される青果物が重量物である場合、無延伸ポリプロピレン、延伸ポリプロピレン、無延伸ナイロン、延伸ナイロン、延伸ポリエステルなどのフィルムに対し、ポリエチレンをドライラミネーション、押し出しラミネーション、共押し出しにより多層フィルムとしたものを用いることが好ましい。
【００３８】
合成樹脂フィルムの平均厚みは、１５μｍ以上、４００μｍ以下が好ましく、２０μｍ以上、２００μｍ以下がより好ましく、２５μｍ以上、１００μｍ以下がさらに好ましい。上記下限値以上とすることにより、酸素透過量、水蒸気透過率をより高度に制御し易くするとともに、包装袋の強度を高めることができる。一方、上記上限値以下とすることにより、包装袋の取扱性を良好にし、適切な水蒸気透過率、酸素透過量を付与すると共に、生産コストも低くできる。
【００３９】
＜青果物入り包装体＞
本実施形態における青果物入り包装体は、本実施形態における包装袋により青果物を収容してなる。
【００４０】
青果物を包装袋の内部に収容し、包装体を密封するために、開口した部分にヒートシール処理を施してもよいし、バックシーリングテープ、結束帯、輪ゴム、かしめ等の部材を用いてもよい。中でも、青果物の鮮度保持効果を高める観点から、開口部にヒートシール処理を施すことが好ましい。
【００４１】
青果物は、収穫後水洗したもの、雨・雪または露に濡れたものを水切りすることなく包装してもよい。これにより、作業性を向上できる。一方、青果物の鮮度保持のため早期に低温下で保管する、または青果物への水分による影響をできるだけ早期に取り除く観点から、青果物に付着している水分を真空予冷等により除去してもよい。
【００４２】
また、本実施形態における青果物入り包装体の重量保持率は、好ましくは９５％以上であり、より好ましくは９７％以上であり、さらに好ましくは９８％以上である。かかる数値とすることで、青果物の鮮度をさらに安定的に維持できる。
【００４３】
次に、本発明の青果物入り包装体による効果について、説明する。
本発明によれば、包装袋内の酸素濃度（ｐｐｍ）と窒素ガス濃度（ｐｐｍ）の比（Ｏ２／Ｎ２）が、０以上０．１７以下であり、前記包装袋内の二酸化炭素濃度（ｐｐｍ）と窒素ガス濃度（ｐｐｍ）の比（ＣＯ２／Ｎ２）が、０．０５以上０．２１以下であり、２３℃、６０％ＲＨにおける酸素透過量（ｃｃ／２・ｄａｙ・ａｔｍ）が、２以上、５００００以下とすることで、青果物の鮮度を安定的に保持できるようになる。
すなわち、青果物を包装袋内に包装した際の包装袋内のガス組成を制御することにより、その後の青果物の鮮度が保持されやすくなる。また、保存中の青果物の呼吸によっても、包装体内の酸素濃度、二酸化炭素濃度が変動するが、包装袋の所定の酸素透過量を制御することで、包装体内において最適なガス組成が保持され、より効果的に青果物の鮮度が保持できると考えられる。
このように本発明は、従来にはない観点からの青果物鮮度保持効果を奏するものである。
【００４４】
＜青果物の包装方法＞
本実施形態における青果物の包装方法は、合成樹脂フィルムから構成された包装袋により青果物を包装する青果物の包装方法であって、
前記包装袋内の酸素濃度（ｐｐｍ）と窒素ガス濃度（ｐｐｍ）の比（Ｏ２／Ｎ２）が、０以上０．１７以下であり、前記包装袋内の二酸化炭素濃度（ｐｐｍ）と窒素ガス濃度（ｐｐｍ）の比（ＣＯ２／Ｎ２）が、０．０５以上０．２１以下であり、
２３℃、６０％ＲＨにおける酸素透過量（ｃｃ／ｍ２・ｄａｙ・ａｔｍ）が、２以上、５００００以下となるように青果物を包装するものである。包装方法としては、青果物を出し入れするための開口部を密封できればよく、公知の方法を用いることができる。
【００４５】
以上、本発明の実施形態について述べたが、これらは本発明の例示であり、上記以外の様々な構成を採用することもできる。
【実施例】
【００４６】
次に、実施例により本発明を詳しく説明するが、本発明の内容は実施例に限られるものではない。
【００４７】
＜包装袋の作製＞
（実施例１）
まず、合成樹脂素材として、ポリプロピレン樹脂（日本ポリプロ社製、品番ＷＦＷ５Ｔ）を準備した。次に、上記フィルム原料を溶融した溶融物を、温度２３０℃でＴダイから押し出した。
そして、押し出された溶融物に、縦５倍×横９倍の延伸処理を施し、最終的な厚みが２５μｍの２軸延伸ポリプロピレンフィルム（合成樹脂フィルム）を得た。
当該合成樹脂フィルムを用い、内層フィルム面が内側になるように２枚重ね合わせ、インパルスシーラー（富士インパルス社製、ＦＩ−４００Ｙ−１０ＰＫ）を用いて３方にヒートシール加工を施して１０ｍｍ幅の熱シール部分を１６０℃、シール時間１秒で形成し、包装袋を作製した。得られた包装袋の袋サイズ（内寸）は２００ｍｍ×１６０ｍｍであった。
次に、得られた包装袋内に青果物（カットキャベツ１５０ｇ）を入れ、表１に示すガス組成となるように包装袋を密閉して、青果物入り包装体を作製した。
【００４８】
（実施例２）
包装袋の内面積１ｍ２あたり３０個となるように平均孔径８０μｍの微細孔を穿孔した以外は、実施例１と同様にして、青果物入り包装体を作製した。
【００４９】
（実施例３）
合成樹脂フィルムとして二軸延伸ナイロンフィルム（ユニチカ株式会社製、商品名「エンブレムＯＮＢＣ」厚み２５μｍ）を用い、包装体の内面積１ｍ２あたり６０個となるように平均孔径１２０μｍの微細孔を穿孔した以外は、実施例１と同様にして、青果物入り包装体を作製した。
【００５０】
（比較例１）
包装体の内面積１ｍ２あたり２０００個となるように平均孔径２０００μｍの微細孔を穿孔した以外は実施例１と同様にして、青果物入り包装体を作製した。
【００５１】
（比較例２）
穿孔しなかった以外は実施例３と同様にして、青果物入り包装体を作製した。
【００５２】
（比較例３）
表１に示すガス組成となるように包装袋を密閉した以外は、実施例１と同様にして、青果物入り包装体を作製した。
【００５３】
得られた各青果物入り包装体について、以下の測定を行った。結果を表１に示す。
【００５４】
＜測定＞
・青果物入り包装体内のガス濃度の測定：
包装袋（包装袋の袋サイズ（内寸）２００ｍｍ×１６０ｍｍ）に青果物（カットキャベツ１５０ｇ）を包装しすぐに、ＭＯＣＯＮ  Ｅｕｒｏｐｅ製Ｃｈｅｃｋ  Ｐｏｉｎｔ  Ｏ２／ＣＯ２を用いて包装袋内の酸素および二酸化炭素濃度を測定した。
【００５５】
・包装袋の４０℃における水蒸気透過率（ｇ／ｍ２・ｄａｙ・ａｔｍ）の測定
温度２℃、湿度６０％に設定する以外は防湿包装材料の水蒸気透過率試験方法（カップ法）（ＪＩＳ  Ｚ０２０８）と同じ方法で測定した。
【００５６】
・包装袋の２３℃、６０％ＲＨにおける酸素透過度（ｃｃ／ｍ２・ｄａｙ・ａｔｍ）の測定
（１）窒素ガスの封入
ヒートシール等で袋を密封した後、アスピレーター等を用いて袋を脱気した。脱気は、袋の両面が貼りつくまで行った。次に、この袋に白硬注射筒を用いて窒素ガス（純度９９．９％以上）を充填した。窒素ガスの注入量は、袋サイズに合わせ、注入した窒素ガスによって袋を構成するフィルムにテンションがかからず、かつ僅かにゆるんでいる範囲で極力多く入れ、当該白硬注射筒の目盛りを用いて測定した。なお、窒素ガスの脱気および注入は、例えば、注射針を袋に突き刺して行った。注射針を刺す際は、袋を構成するフィルムに両面テープを貼り、この上にさらにポリプロピレンフィルム製の粘着テープ（以下「ＰＰテープ」という）を貼り付けた。また、注射針を抜いた後は、速やかにＰＰテープで針孔を塞いだ。袋に貼るテープは、４．５ｃｍ２以下の面積に収まるようにした。
また、袋を構成するフィルムが微細孔フィルムの場合は、テープで当該微細孔を塞がないようにした。
（２）初期酸素濃度測定
窒素ガス充填直後（ｔ＝０）の袋内の初期酸素濃度（Ｃ０）を測定した。袋内のガスをサンプリングし、ガスクロマトグラフィー（ＴＣＤ）で袋内の初期酸素濃度（Ｃ０）を求めた。Ｃ０は０．２％以下であり、これを超える場合は、作業をやり直した。酸素濃度測定のためのサンプリングガスは、１０ｃｃ以下とした。ガスクロマトグラフィーに注入する場合は、１ｃｃ程度の一定量を注入した。また、標準ガス（酸素約１％と約１０％を含む２点以上）の測定も同量のガスを注入して行い、検量線を作成した。
（３）袋の保管
初期酸素濃度を測定した袋は、２３℃、６０％ＲＨ（恒温恒湿庫）で保管した。このとき、袋の上に物が乗ったり、恒温恒湿庫のファンの風が袋に直撃しないように静置した。
（４）保管中の袋内酸素濃度の測定及び酸素透過速度の計算
袋内酸素濃度の測定は、窒素ガス充填直後と３時間以上経過後に酸素濃度が１％以上７％以下の範囲内で２点以上の合計３〜５点測定し、経過時間ｔ（ｈｒ）と袋内酸素濃度間に比例関係（相関係数が０．９８以上）が成り立つ必要がある。相関係数が成り立たない場合は再試験を行った。袋を構成するフィルムの酸素透過速度が大きすぎて袋内酸素濃度の上昇が速すぎ、この条件をクリアできない場合は、フィルムの一部を酸素透過速度が測定しているフィルムより小さく既知である同じ材質のフィルムと張り合わせて袋を作成して同様に行えばよい。この際、袋の表面積は既知である別のフィルムと貼り合わせた部分は除き、求められた酸素透過速度より既知のフィルム部分の酸素透過速度を差し引いたものが測定フィルムの酸素透過速度とした。
酸素透過速度は、経過時間が長いほうの値を用いて以下の計算式（１）を計算した。
Ｆ＝１．１４３×（Ｃｔ−Ｃ０）×Ｖ／ｔ  （１）
但し、Ｆ：酸素透過速度（ｃｃ／袋・ｄａｙ・ａｔｍ）
Ｃｔ：窒素ガス充填後ｔ時間後における袋内酸素濃度（％）
Ｃ０：窒素ガス充填直後の袋内酸素濃度（％）
Ｖ：充填した窒素ガスの量（ｃｃ）
ｔ：ガス充填時からの経過時間（ｈｒ）
【００５７】
・貫通孔の平均孔径（μｍ）の測定
マイクロスコープ（キーエンス社製、ＶＨ−６３００）を用いて包装袋における内表面の開孔面積を孔５点について測定した。開孔部を真円と仮定して、開孔面積から直径を算出し、平均直径を算出した。
【００５８】
・包装袋の外表面における貫通孔の孔面積（Ｓｏｕｔ）と包装袋の内表面における孔面積（Ｓｉｎ）の測定：マイクロスコープ（キーエンス社製、ＶＨ−６３００）を用いて包装袋（２０℃）の貫通孔の開孔面積を、内表面側と、外表面側それぞれについて測定した。
【００５９】
・青果物１００ｇあたりの包装袋の内表面積（ｃｍ２）の算出
包装袋の袋サイズ（内寸）（ｃｍ２）の２倍値を青果物の内容量（ｇ）／１００したもので割り算し、算出した。
【００６０】
＜評価＞
上記で得られた各青果物入り包装体を、１０℃にて５日間保存した。その後、包装体からカットキャベツを取り出し、「変色の有無」、「食感の良し悪し」、「風味の良し悪し」について複数の専門パネラーらにより総合的に評価した。
【００６１】
・鮮度保持日数−１：２つのサンプル（包装体）から内容物を取り出し、それぞれスリーエム製ペトリフィルム（ＡＣプレート）を用いて一般生菌数を測定し、一般生菌数の平均値が１０６以上となるまでの日数を測定した。なお、サンプルは複数準備し、測定は一日一回行い、測定を行ったサンプルは包装体内のガス濃度が著しく変化するため、その後の測定には使用せず、別のサンプルを用いて、翌日の測定を行う工程を繰り返した。
・鮮度保持日数−２：２つのサンプル（包装体）から内容物を取り出し、それぞれスリーエム製ペトリフィルム（ＣＣプレート）を用いて大腸菌数を測定し、大腸菌数の平均値が１０２以上となるまでの日数を測定した。なお、サンプルは複数準備し、測定は一日一回行い、測定を行ったサンプルは包装体内のガス濃度が著しく変化するため、その後の測定には使用せず、別のサンプルを用いて、翌日の測定を行う工程を繰り返した。
【００６２】
【表１】
2020079091.tif 000002